(57)【要約】      （修正有）【課題】紙類の綴じ枚数を規定する連結部の高さの異なる複数種類のクリップを安定的に使用することのできるクリップドライバを提供する。【解決手段】連結部の高さの異なるクリップ１００Ａ、１００Ｂ、１００Ｃの各耳部１０３を含む挟持片１０２の先端の横幅を同一に形成するとともに、この先端以外の横幅を連結部の高さが低いものほど広くなるように形成し、収納部３内の両側壁１３，１３に、各クリップの挟持片１０２の底部を両側方から載置し、各クリップのガイド部１０３，１０３間にクリップ拡開体の導入部が確実に進入される姿勢に各クリップを支持するガイド部２１Ａ，２１Ｂ，２１Ｃをそれぞれ形成する。【選択図】図８
2019025789.tif 000002
【特許請求の範囲】
【請求項１】
紙類の綴じ枚数を規定する連結部の高さの異なる２種類以上のクリップを収納部内に装填し、収納部内に収納されたクリップをプッシャにより前進させ、吐出口の幅方向における両端にそれぞれ配設された１対のクリップ拡開体によりクリップの相接された１対の挟持片を拡開させ、前記吐出口に挿入された積層体の端部を各挟持片により挟持させて綴じるクリップドライバであり、
前記収納部内の両側壁に、それぞれ収納された各種類のクリップの各耳部を嵌入させて前記各クリップ拡開体に案内するレール溝が形成されたクリップドライバであって、
前記各種類のクリップが、それぞれ各耳部を含む挟持片の先端の横幅が同一に形成され、この先端以外の各挟持片および連結部の横幅が、連結部の高さが低いものほど広くなるように形成されており、
前記収納部内の両側壁に、各種類のクリップの挟持片の底部を両側方から載置し、各種類のクリップの１対の挟持片の先端を離間する方向に屈曲させて形成されたガイド部間にクリップ拡開体の導入部が確実に進入される姿勢に各種類のクリップを支持する各種類のガイド部がそれぞれ前記各レール溝に沿って形成されていることを特徴とするクリップドライバ。
【請求項２】
前記各種類のガイド部のうち、連結部の高さが最も低いクリップを載置するガイド部を、各レール溝の底面と同じ高さで形成したことを特徴とする請求項１に記載のクリップドライバ。
【発明の詳細な説明】
【技術分野】
【０００１】
本発明は、書類などの複数の紙類が積層された積層体をクリップで綴じるためのクリップドライバに関し、特に、紙類の綴じ枚数を規定する連結部の高さが異なる２種類以上のクリップを使用することのできるクリップドライバに関する。
【背景技術】
【０００２】
従来から、書類などの複数枚の紙類が積層された積層体を綴じるため、ステープラやゼムクリップなどとならび、対向配置された１対の挟持片により積層体を挟持して綴じるクリップが広く使用されている。
【０００３】
このようなクリップは、紙類のおおよその綴じ枚数を規定する所定の高さに形成された連結部と、この連結部の高さ方向に対向する２辺からそれぞれ先端側が相接するよう連設された１対の挟持片とから構成されており、各挟持片の先端には、それぞれ側方に張り出す耳部が形成されているとともに、対向する挟持片が相接する箇所から先端にかけて離間する方向に屈曲されたガイド部が形成されている。
【０００４】
そして、このようなクリップにより積層体を綴じる際には専用のクリップドライバが使用されている。
【０００５】
このような従来のクリップドライバの一例としては、紙類のおおよその綴じ枚数が異なりそれぞれ連結部の高さが異なる複数種類のクリップを装填して使用することのできるクリップドライバがある。
【０００６】
この複数種類のクリップを使用することのできる従来のクリップドライバは、主に、それぞれ連結部の高さおよび各挟持片の前後方向における長さが異なる一方で各挟持片の両耳部を含む先端の横幅が同一に形成された複数種類のクリップを収納可能な高さに形成されるとともに、収納された複数のクリップを１列に整列させて移動自在に収納する収納部と、クリップを装填する装填口と、略コ字形状に形成され装填されたクリップを吐出する吐出口とが形成された前後方向に長い箱状の本体と、本体に前後方向に移動自在に配設され、収納部内に装填されたクリップを吐出口から押し出すプッシャと、プッシャにより吐出口からクリップが押し出される際に各耳部に対応する位置において各挟持片のガイド部間に進入して各挟持片を拡開させる略横向きＹ字状の１対のクリップ拡開体とを備えており、本体の収納部内における前後方向と直交する両側壁には、それぞれ装填された各クリップの各耳部を嵌入させてクリップ拡開体に案内するレール溝が本体の前後方向に沿って形成されている。
【０００７】
そして、本体の装填口から収納部内に装填された各クリップは、それぞれ各耳部をレール溝に嵌入させて移動自在に収納され、本体の吐出口に複数の紙類が積層された積層体の端部を挿入し、収納部内に収納されたクリップをプッシャにより１つずつ押し出すと、吐出口において各クリップ拡開体により各挟持片が拡開されたクリップが積層体の端部を挟み込むように前進され、クリップが完全に押し出されて各クリップ拡開体を通過すると、各挟持片がクリップの弾性により再び相接する方向に閉じて積層体が綴じられるようになっている（例えば、特許文献１参照）。
【先行技術文献】
【特許文献】
【０００８】
【特許文献１】特開２００３−３０５９８０号公報
【発明の概要】
【発明が解決しようとする課題】
【０００９】
しかしながら、前述した従来のクリップドライバは、複数種類のクリップを使用するために、クリップドライバにおいて、本体の収納部内の高さが最も連結部の高さが高いクリップを収納可能に形成されているため、各クリップの各耳部をレール溝に嵌入させてクリップ拡開体に案内したとしても、連結部の高さが低くかつ挟持片の長さが短いクリップが収納されるとクリップの後端が下方に傾いてしまい、クリップの各ガイド部間にクリップ拡開体が適切に案内されず、ガイド部の外側にクリップ拡開体が当接するなどしてクリップの詰まりが生じたり、クリップを吐出口から吐出させるプッシャがクリップに適切に当接されないなどの問題が生じることがあった。
【００１０】
そこで、本発明は、紙類の綴じ枚数を規定する連結部の高さの異なる複数種類のクリップを安定的に使用することのできるクリップドライバを提供することを目的とする。
【課題を解決するための手段】
【００１１】
前述した目的を達成するため、本発明のクリップドライバの特徴は、紙類の綴じ枚数を規定する連結部の高さの異なる２種類以上のクリップを収納部内に装填し、収納部内に収納されたクリップをプッシャにより前進させ、吐出口の幅方向における両端にそれぞれ配設された１対のクリップ拡開体によりクリップの相接された１対の挟持片を拡開させ、前記吐出口に挿入された積層体の端部を各挟持片により挟持させて綴じるクリップドライバであり、前記収納部内の両側壁に、それぞれ収納された各種類のクリップの各耳部を嵌入させて前記各クリップ拡開体に案内するレール溝が形成されたクリップドライバであって、前記各種類のクリップが、それぞれ各耳部を含む挟持片の先端の横幅が同一に形成され、この先端以外の各挟持片および連結部の横幅が、連結部の高さが低いものほど広くなるように形成されており、前記収納部内の両側壁に、各種類のクリップの挟持片の底部を両側方から載置し、各種類のクリップの１対の挟持片の先端を離間する方向に屈曲させて形成されたガイド部間にクリップ拡開体の導入部が確実に進入される姿勢に各種類のクリップを支持する各種類のガイド部がそれぞれ前記各レール溝に沿って形成されている点にある。
【００１２】
このような構成を採用したことにより、各種類のクリップを、各種類のガイド部間にクリップ拡開体の導入部が確実に進入される姿勢に支持することができるので、クリップ拡開体の導入部にクリップのガイド部の外側が当接してクリップの詰まりが生じることを防止することができる。
【００１３】
また、クリップを吐出させるプッシャをクリップに適切に当接させることができ、連結部の高さの異なる複数種類のクリップを安定的に使用することができる。
【００１４】
また、本発明に係るクリップドライバの他の特徴は、前記各種類のガイド部のうち、連結部の高さが最も低いクリップを載置するガイド部を、各レール溝の底面と同じ高さで形成した点にある。
【００１５】
このような構成を採用したことにより、レール溝の底面とガイド部の１つを共用することができるので、収納部内の構成を簡素化できるとともに、成形が容易となる。
【発明の効果】
【００１６】
本願発明のクリップドライバによれば、紙類の綴じ枚数を規定する連結部の高さが異なる複数種類のクリップを、それぞれクリップ拡開体に対して適切に案内してクリップが詰まることを防止することができるとともに、各クリップに対してプッシャを確実に当接させて確実に押し出すことができるので、複数種類のクリップを安定的に使用することができる。
【図面の簡単な説明】
【００１７】
【図１】本発明に係るクリップドライバの実施形態を示す概略斜視図
【図２】本実施形態におけるベースの構成を示す概略斜視図
【図３】図１における収納部内の構成を示すＡ−Ａ断面図
【図４】本実施形態における中蓋の構成を示す概略斜視図
【図５】本実施形態における付勢部材の構成を示す概略斜視図
【図６】本実施形態における蓋体の構成を示す概略斜視図
【図７】本実施形態におけるプッシャの構成を示す側面図
【図８】本実施形態におけるガイド部の構成を示す概略断面図であり、（ａ）は小クリップの載置状態、（ｂ）は中クリップの載置状態、（ｃ）は大クリップの載置状態を示す
【図９】本実施形態にガイド部による各種類のクリップの配列状態を示す説明図
【図１０】本発明に係るクリップドライバに使用されるクリップの実施形態を示す概略側面図および平面図であり、（ａ）は小クリップ、（ｂ）は中クリップ、（ｃ）大クリップを示す
【発明を実施するための最良の形態】
【００１８】
以下、本発明に係るクリップドライバを図面に示す実施形態により説明する。
【００１９】
本実施形態のクリップドライバ１は、それぞれ書類などの紙類の綴じ枚数の異なる小、中、大の３種類のクリップ１００（１００Ａ，１００Ｂ，１００Ｃ）を使用可能に形成されている。
【００２０】
前記クリップ１００Ａ，１００Ｂ，１００Ｃは、図１０に示すように、それぞれ紙類のおおよその綴じ枚数を規定する所定の高さに形成された連結部１０１と、この連結部１０１の高さ方向に対向する２辺からそれぞれ先端側が相接するように連設された１対の挟持片１０２，１０２とから構成されており、本実施形態においては、小クリップ１００Ａが連結部１０１の高さが最も低く、大クリップ１００Ｃが連結部１０１の高さが最も高く、中クリップ１００Ｂの連結部１０１の高さがそれらの中間の高さに形成されている。
【００２１】
また、各クリップ１００の連結部１０１および連結部１０１に連設される挟持片１０２の横幅は、小クリップ１００Ａが最も広く、大クリップ１００Ｃの連結部１０１が最も狭く、中クリップ１００Ｂの横幅がそれらの中間の幅に形成されている。
【００２２】
また、前記クリップ１００Ａ，１００Ｂ，１００Ｃの各挟持片１０２の先端にはそれぞれ側方に耳部１０４が張り出すガイド部１０３が形成されており、各耳部１０４を含む各ガイド部１０３の先端は、対向する挟持片１０２が相接する箇所から先端に向かってそれぞれ離間する方向に折曲されている。なお、各クリップ１００Ａ，１００Ｂ，１００Ｃ毎に各耳部１０４の挟持片１０２からの張り出し幅は異なるが、各耳部１０４を含むガイド部１０３全体の横幅は各クリップ１００Ａ，１００Ｂ，１００Ｃともに同一に形成されている。
【００２３】
さらに、前記各クリップ１００Ａ，１００Ｂ，１００Ｃの各連結部１０１には、それぞれ各挟持片１０２の先端方向に円弧形状に凹入された凹部１０１ａが形成されており、この凹部１０１ａは、後述するクリップドライバ１のプッシャ９に突設された当接部９ｃが当接した際に、この当接部９ｃを連結部１０１の上下方向における中央に案内してプッシャ９により各クリップ１００Ａ，１００Ｂ，１００Ｃが確実に押し出されるようになっている。
【００２４】
つぎに、本実施形態のクリップドライバ１は、図１に示すように、略長方形状に形成された箱状の本体２と、前記本体２の上面２ａを被覆する蓋体３１を備えており、前記蓋体３１は、前記本体２の後方の両外側面に回動自在に枢着され、前記本体２に対して開閉自在に配設されている。
【００２５】
前記本体２は、ベース１１と中蓋１２とが嵌着されて構成されており、内部が複数のクリップを１列に整列させて移動自在に収納する収納部３となっており、上面２ａには前記収納部３内にクリップ１００を装填する装填口４が形成され、前端２ｂには前記収納部３内に収納されたクリップ１００を吐出させる吐出口５が形成されている。
【００２６】
前記吐出口５は、積層体の端部が挿入される縦断面略コ字形状に前向きに開いて形成されており、幅方向における両側端部にはクリップ１００の相接された各挟持片１０２を拡開させるためのクリップ拡開体６が配設されている。
【００２７】
前記各クリップ拡開体６は、図２に示すように、前記収納部３内に収納されて移動されるクリップ１００の耳部１０４における各ガイド部１０３間に進入される導入部６ａと、この導入部６ａから前方にそれぞれ離間する方向に連設されクリップ１００の各挟持片１０２を拡開させる１対の拡開片６ｂ，６ｂとが一体に形成された略横向きＹ字形状に形成されており、各拡開片６ｂ，６ｂの先端は、それぞれ前記吐出口５の上下端部に当接するように展開されており、前記吐出口５に積層体の端部が挿入されると、この積層体の端部を上下方向から挟む位置に配置されている。
【００２８】
前記収納部３内の両側壁１３，１３には、図２および図３に示すように、それぞれ前記装填口４から装填されたクリップ１００の各耳部１０４をそれぞれ嵌入させて前記吐出口５側へ案内するレール溝１４が形成されており、前記吐出口５内における各レール溝１４の延長線上に、各レール溝１４の高さ方向における中央に導入部６ａを配置して前記クリップ拡開体６が配設されている。
【００２９】
また、図１および図４に示すように、前記本体２（中蓋１２）には、前記装填口４と連通して上面２ａおよび後端面２ｃに延在する開口１５が形成されており、この開口１５の前端には他の箇所よりも幅が広く形成された大開口部１６が形成されている。
【００３０】
また、前記装填口４内における両側壁１３，１３には、それぞれ装填されるクリップ１００の耳部１０４に下方から当接して収納部３内へ案内する下方に傾斜された耳部案内傾斜部１７が形成されており、前記装填口４の後端側の上面２ａには、装填されるクリップの挟持片１０２の底部に当接して収納部３内に案内する下方に傾斜された底部案内傾斜部１８が形成されている。
【００３１】
また、前記収納部３内には、前記収納部３内に収納されたクリップ１００に後方から当接して前記吐出口５側へ付勢するための付勢部材７が配設されており、この付勢部材７には、図５に示すように、それぞれ幅方向における外方に張り出すフランジ部７ａ，７ａが一体に形成されており、これらフランジ部７ａ，７ａをそれぞれ各レール溝１４に嵌入させて収納部３内に移動自在に配設されている。
【００３２】
また、前記付勢部材７には、フック状の係合片７ｂが形成されており、この係合片７ｂにコイルばね８の一端が係止され、前記開口１５を通じて他端が後述するプッシャ９に係止されている。
【００３３】
図１および図６に示すように、前記蓋体３１の前部には、前記本体２の上面２ａに対して閉状態において、前記本体２の上面２ａに形成された大開口部１６に連通して前後方向に延在する開口３２が形成されており、この開口３２には、前記本体２の収納部３内に収納されたクリップ１００を吐出口５側へ押圧して吐出させるプッシャ９が前後方向に移動自在に配設されている。
【００３４】
前記プッシャ９は、図７に示すように、前記開口３２の横幅よりも幅広に形成され前記開口３２の上部に突出された触指操作部９ａと、この触指操作部９ａの下面に連設され前記本体２の収納部３内に垂下される垂下部９ｂと、この垂下部９ｂの下端に前方に突設された当接部９ｃとを備えている。
【００３５】
また、前記垂下部９ｂの後方と前記当接部９ｃの下端には、それぞれ前記開口３２の横幅よりも側方に張り出した抜け止め部９ｄが形成されており、各抜け止め部９ｄによりプッシャ９が前記開口３２から抜け出すことを防止するとともに、前記当接部９ｃの下端に形成された抜け止め部９ｄと前記触指操作部９ａとの間で前記プッシャ９の前部が前記開口３２ならびに前記本体２の収納部３内に対して浮沈されるストロークが規定されている。なお、本実施形態においては、前記プッシャ９は、前記当接部９ｃの下端部が前記本体２の収納部３内に形成された各レール溝１４の底面１４ａ近傍まで沈下されるように形成されている。
【００３６】
さらに、前記プッシャ９の裏面には図示しないフック状の係止片が形成されており、この係止片に他端が前記収納部３内に収納された付勢部材７に係止されたコイルばね８の一端が係止され、前記蓋体３１を前記本体２の上面２ａに対して閉状態にすると、前記プッシャ９が前記本体２の前方に配置されることによりコイルばね８により付勢部材７が牽引されて前記収納部３内の前方に付勢され、前記蓋体３１を前記本体２の上面２ａに対して開状態にすると、前記プッシャ９が前記本体２の後方に配置されることによりコイルばね８により付勢部材７が後方に牽引され、前記装填口４よりも後方に配置されるようになっている。
【００３７】
そして、本願発明のクリップドライバ１は、図２および図３に示すように、前記本体２の収納部３内に、前記各レール溝１４にそれぞれ耳部１０４を嵌入させて移動される各クリップ１００Ａ，１００Ｂ，１００Ｃのそれぞれの底部を載置して、前記収納部３内を移動される各クリップ１００を好適な姿勢、具体的には、各クリップ１００の各ガイド部１０３間にクリップ拡開体６の導入部６ａが確実に進入される姿勢に支持する複数のガイド部２１が形成されている。
【００３８】
本実施形態におけるガイド部２１は、前記各レール溝１４に沿って両側壁１３，１３から対向方向に張り出すように形成されており、３種類のクリップ１００Ａ，１００Ｂ，１００Ｃのそれぞれの挟持片１０２の底部の幅方向における両側端部に下方から当接するように形成されている。
【００３９】
本実施形態においては、連結部１０１の高さが最も低く、かつ連結部１０１および挟持片１０２の幅が最も広い小クリップ１００Ａを載置するガイド部２１Ａは、図３および図８（ａ）に示すように、前記各レール溝１４の底面１４ａと同じ高さで各側壁１３から小クリップ１００Ａの挟持片１０２の両側端部をそれぞれ載置可能に内側に張り出して形成されている。
【００４０】
また、小クリップ１００Ａよりも連結部１０１の高さが高く連結部１０１および挟持片１０２の幅が狭い中クリップ１００Ｂを載置するガイド部２１Ｂは、図３および図８（ｂ）に示すように、前記各ガイド部２１Ａよりも低い位置で各ガイド部２１Ａから中クリップ１００Ｂの挟持片１０２の両側端部をそれぞれ載置可能に内側に張り出して形成されている。
【００４１】
さらに、中クリップ１００Ｂよりもさらに連結部１０１の高さが高く中クリップ１００Ｂよりも連結部１０１および挟持片１０２の幅が狭い大クリップ１００Ｃを載置するガイド部１００Ｃは、図３および図８（ｃ）に示すように、前記各ガイド部２１Ｂよりもさらに低い位置で各ガイド部２１Ｂから大クリップ１００Ｃの挟持片１０２の両側端部をそれぞれ載置可能に内側に張り出して形成されている。
【００４２】
なお、前記各ガイド部２１Ａ，２１Ｂ，２１Ｃのそれぞれの高さとしては、各クリップ１００を、各クリップ１００の各ガイド部１０３間にクリップ拡開体６の導入部６ａが案内される姿勢に支持するとともに、前記プッシャ９の当接部９ｃが前記本体２の収納部３内に対して最も沈下された際に、各クリップ１００の連結部１０１の上端部がプッシャ９の当接部９ｃよりも下方に配置されないように設定される。具体的には、図８（ａ）〜（ｃ）に示すように、各種類のクリップ１００の連結部１０１の上端が本体２の上面２ａの直下に近接する程度の高さとされている。
【００４３】
そして、前述した構成からなるクリップドライバ１によって積層体を綴じるには、まず、蓋体３１を回動させて本体２の上面２ａに対して開状態（図１参照）にすることにより、本体２の装填口４が解放されるとともに、蓋体３１の前方に配設されたプッシャ９に連結されたコイルばね８に牽引されて収納部３内に配設されている付勢部材７が装填口４の後方に配置される。
【００４４】
そして、収納部３内にクリップ１００を装填した後、蓋体３１を回動させて本体２の上面２ａに対して閉状態にすると、本体２に対して蓋体３１に配設されたプッシャ９が前方に配置され、プッシャ９に連結されたコイルばね８に牽引されて付勢部材７が収納部３内の前方に移動され、収納部３内に収納されたクリップ１００が前方に付勢される。この場合、収納部３内に収納されたクリップ１００が異なる種類であるとしても、前側に存在するクリップ１００の連結部１０１に後側に存在するクリップ１００のガイド部１０３の前端が当接するので、前後のクリップ１００が整然と順序よく配列されることとなる（図９参照）。
【００４５】
つぎに、本体２の吐出口５内に積層体の端部を挿入し、プッシャ９を触指操作部９ａを下方に押圧して当接部９ｃを収納部３内に沈下させ、さらに、触指操作部９ａを前方に押圧して当接部９ｃを収納部３内に収納されたクリップ１００の連結部１０１に当接させてプッシャ９を前進させると、クリップ１００が前進されて各耳部１０４における各ガイド部１０３間にクリップ拡開体６の導入部６ａが進入され、さらにプッシャ９を前進させると、クリップ拡開体６の各拡開片６ｂ，６ｂが積層体の端部に上下から当接されるとともに、その上を各挟持片１０２が拡開されたクリップ１００が前進され、そして、クリップ１００が完全に各クリップ拡開体６を通過すると、各クリップ拡開体６により拡開されていたクリップ１００の各挟持片１０２がクリップ１００の弾性により再び相接する方向に閉じて積層体が綴じられる。
【００４６】
そして、本願発明のクリップドライバ１によれば、収納部３内に形成されたガイド部２１により、本体２の装填口４から収納部３内に装填された各クリップ１００Ａ，１００Ｂ，１００Ｃは、それぞれ各耳部１０４が各レール溝１４に嵌入されるとともに、小クリップ１００Ａの底部の幅方向における両側端が各ガイド部２１Ａ上に載置され、中クリップ１００Ｂの底部の幅方向における両側端が各ガイド部２１Ｂ上に載置され、大クリップ１００Ｃの底部の幅方向における両側端が各ガイド部２１Ｃ上に載置されることにより、各クリップ１００を、各ガイド部１０３間にクリップ拡開体６の導入部６ａが確実に進入される姿勢に支持することができるので、クリップ拡開体６の導入部６ａにクリップ１００のガイド部１０３の外側が当接してクリップ１００の詰まりが生じることを防止することができる。
【００４７】
また、各クリップ１００が各ガイド部１０３間にクリップ拡開体６の導入部６ａが確実に進入される姿勢に支持されることにより、触指操作部９ａを押下して下端部がレール溝１４の底面１４ａ近傍まで沈下された当接部９を各クリップ１００の連結部１０１に確実に当接させることができ、プッシャ９により各クリップを確実に押し出すことができる。
【００４８】
なお、本発明は、前述した実施の形態に限定されるものではなく、必要に応じて種々の変更が可能である。
【００４９】
例えば、本実施形態のクリップドライバは上蓋を備えるものであったが、上蓋を備えず、略長方形状の箱状の本体内に収納部が形成され、前端に吐出口、後端に装填口、上面に前後方向に移動自在にプッシャが配設されたクリップドライバにおいても、収納部内にレール溝とともにガイド部を形成する構成としてもよい。
【００５０】
また、本実施形態のクリップドライバにおいて使用されるクリップの種類は３種類に限られるものではなく、２種類または４種類以上であってもよく、その場合には、使用されるクリップの連結部の高さが低いものほど連結部ならびに各耳部を除く挟持片の横幅が広くなるように形成することにより、収納部内に任意の数のガイド部を形成し、各クリップを好適な姿勢で支持することができる。
【符号の説明】
【００５１】
１  クリップドライバ
２  本体
３  収納部
４  装填口
５  吐出口
６  クリップ拡開体
６ａ  導入部
６ｂ  拡開片
７  付勢部材
７ａ  フランジ部
７ｂ  係合片
８  コイルばね
９  プッシャ
９ａ  触指操作部
９ｂ  垂下部
９ｃ  当接部
９ｄ  抜け止め
１１  ベース
１２  中蓋
１３  側壁
１４  レール溝
１５  開口
１６  大開口部
１７  耳部案内傾斜部
１８  底部案内傾斜部
２１  ガイド部
３１  蓋体
３２  開口
１００Ａ，１００Ｂ，１００Ｃ  クリップ
１０１  連結部
１０１ａ  凹部
１０２  挟持片
１０３  ガイド部
１０４  耳部
【図１】
2019025789.tif 000003
【図２】
2019025789.tif 000004
【図３】
2019025789.tif 000005
【図４】
2019025789.tif 000006
【図５】
2019025789.tif 000007
【図６】
2019025789.tif 000008
【図７】
2019025789.tif 000009
【図８】
2019025789.tif 000010
【図９】
2019025789.tif 000011
【図１０】
2019025789.tif 000012